(57)【要約】      （修正有）【課題】車椅子使用者が使い易い角度に操作パネルを傾けることができる操作パネル用回転機構を提供する。【解決手段】ＦＡＸなどのＯＡ機器に設けられ、その操作パネルを回転自在に軸着する操作パネル用回転機構において、上記ＯＡ機器に取り付け固定されたシャフトと、該シャフトに回転自在に軸着されると共に上記操作パネルを取り付け固定する第１クリック部材と、該第１クリック部材に形成されると共に、上記シャフトの軸心と同心円とする冠歯と、上記第１クリック部材に隣接するように上記シャフトに装着される第２クリック部材と、該第２クリック部材に形成されると共に、上記第１クリック部材と噛み合う冠歯と、上記第２クリック部材を第１クリック部材に押圧して、上記両冠歯を弾性的に噛み合わせる押圧手段から構成され、上記冠歯の歯数を多く形成することにより約数度刻みで操作パネルが傾く細かいギヤラッチ形状の構造とする。【選択図】図２
2008109261.tif 000002
【特許請求の範囲】
【請求項１】
ＦＡＸなどのＯＡ機器に設けられ、その操作パネルを回転自在に軸着する操作パネル用回転機構において、上記ＯＡ機器に取り付け固定されたシャフトと、該シャフトに回転自在に軸着されると共に上記操作パネルを取り付け固定する第１クリック部材と、該第１クリック部材に形成されると共に、上記シャフトの軸心と同心円とする冠歯と、上記第１クリック部材に隣接するように上記シャフトに装着される第２クリック部材と、該第２クリック部材に形成されると共に、上記第１クリック部材と噛み合う冠歯と、上記第２クリック部材を第１クリック部材に押圧して、上記両冠歯を弾性的に噛み合わせる押圧手段から構成され、上記冠歯の歯数を多く形成することにより約数度刻みで操作パネルが傾く細かいギヤラッチ形状の構造としたことを特徴とする操作パネル用回転機構。
【請求項２】
上記シャフトに螺合して上記押圧手段を締め付ける締付ナットの締付力を変えることにより、上記ギヤラッチのスラスト方向の力を調整することにより、操作パネルの保持力を可変としたことを特徴とする請求項１に記載の操作パネル用回転機構。
【請求項３】
上記ギヤラッチのスラスト方向の押圧力を加える上記押圧手段を皿バネにより構成して、小型化したことを特徴とする請求項１または２に記載の操作パネル用回転機構。
【請求項４】
ギヤの山頂点形状をＲにしてあることを特徴とする請求項１、２または３に記載の操作パネル用回転機構。
【発明の詳細な説明】
【技術分野】
【０００１】
本発明は、例えばＦＡＸなどのＯＡ機器の操作パネル用の回転機構に関する。
【背景技術】
【０００２】
従来の操作パネル用回転機構として、ＦＡＸ等ＯＡ機器の操作パネルはＯＡ機器本体に固定されているか、もしくはある角度だけ回転し、その角度で固定保持されるものであった。
【０００３】
従って、従来型のＦＡＸ等ＯＡ機器の操作パネルは、液晶パネルであるため、角度によって見にくい欠点があった。
特に、固定タイプのため、車椅子を使用している障害者等にとって肉体的疲労を伴っていた。
【発明の開示】
【発明が解決しようとする課題】
【０００４】
本発明が解決しようとする課題は、無断階に近い状態で操作パネルを傾けることが出来、また、車椅子を使用している障害者等にとって、肉体的疲労を伴わず、障害者本人が使い易い角度に操作パネルを傾けることができる操作パネル用回転機構を提供することにある。
【課題を解決するための手段】
【０００５】
本発明の操作パネル用回転機構は、ＦＡＸなどのＯＡ機器に設けられ、その操作パネルを回転自在に軸着する操作パネル用回転機構において、上記ＯＡ機器に取り付け固定されたシャフトと、該シャフトに回転自在に軸着されると共に上記操作パネルを取り付け固定する第１クリック部材と、該第１クリック部材に形成されると共に、上記シャフトの軸心と同心円とする冠歯と、上記第１クリック部材に隣接するように上記シャフトに装着される第２クリック部材と、該第２クリック部材に形成されると共に、上記第１クリック部材と噛み合う冠歯と、上記第２クリック部材を第１クリック部材に押圧して、上記両冠歯を弾性的に噛み合わせる押圧手段から構成され、上記冠歯の歯数を多く形成することにより約数度刻みで操作パネルが傾く細かいギヤラッチ形状の構造としたことを特徴とする。また、上記シャフトに螺合して上記押圧手段を締め付ける締付ナットの締付力を変えることにより、上記ギヤラッチのスラスト方向の力を調整することにより、操作パネルの保持力を可変としたことを特徴とする。さらに、上記ギヤラッチのスラスト方向の押圧力を加える上記押圧手段を皿バネにより構成して、小型化したことを特徴とする。また更に、ギヤの山頂点形状をＲにしてあることを特徴とする。
【発明の効果】
【０００６】
１）冠歯車の歯数を多くすることにより無断階に近い状態で、操作パネルを傾けることが出来る効果を有する。
従って、車椅子を使用している障害者等にとって、肉体的疲労を伴わず、障害者本人が使い易い角度に操作パネルを傾けることが出来、操作パネル上のボタン等を操作することが可能となる。
２）また、冠歯車の歯数を多くした構造とすることにより、冠歯同士の接触面積が大きくなり、大きな保持力を有する事が出来る。
従って、操作者がパネルに不意に大きな荷重をかけても傾きが動くことは解消出来る。
３）チルト可変時のある角度に傾いている操作パネルに外部から力を加えても、細かいギヤラッチ形状にしたことにより、該操作パネルが十分上記角度を保持することができる。
４）ギヤ山頂点形状をR形状にして、操作音を静かにすることも出来る。
【発明を実施するための最良の形態】
【０００７】
図1および図２において、１は操作パネル、２はワッシャー、３は第１クリック部材、３ａは該第１クリック部材３の側面に形成された冠歯、４は第２クリック部材、４ａは該第２クリック部材４の側面に形成されると共に上記冠歯３ａと噛み合う冠歯、５はワッシャー、６は締付ナット、７は小ワッシャー、８は複数枚（本実施例では４枚）の皿バネであり、これらの部材２〜８の中心軸上にシャフト９が貫挿されている。また１０はＯＡ機器の筐体部である。
図３においては冠歯の山頂点をＲ形状とした図面である。
【０００８】
本発明の操作パネル用回転機構は、上記シャフト９のスラスト方向に押圧力を与える押圧手段を有するチルト機構に設けられ、冠歯４ａを有する第２クリック部材４と、該冠歯４ａと噛み合った冠歯３ａを有する第１クリック部材３と、上記２つのクリック部材３、４の各冠歯３ａ、４ａにおいて、該各冠歯３ａ、４ａの同心円の中心を貫通させて、上記２つのクリック部材３、４の各冠歯３ａ、４ａが噛み合うようにしたシャフト９を備えている。
【０００９】
上記４枚の皿バネ８は、本発明の押圧手段の具体例であって、押圧力を生じさせる機能を有する。４枚の皿バネ８がスラスト方向、即ち、冠歯４ａをもう一方の冠歯３ａの方向に押圧する。この押圧力は、冠歯３ａ、４ａ、ひいては両クリック部材３、４を回動させないように働き、回転トルクを抑制している。外部から上記操作パネル１を回動（傾動）させる方向に力が働き、その力が上記スラスト力より勝ってはじめて操作パネル１が回動することになる。
【００１０】
従来は、上記スラスト荷重を与えるのに、巻バネを使用するのが一般的であった。また、従来は保持力確保のため、大きな段差のラッチ構造となっていて、チルト動作させるのにユーザにとって相当な力が必要であった。
本発明は、皿バネ８をチルト機構の押圧手段とする事により、軽量コンパクトになり、コスト面、構造面においてより実用的となっている。さらに、締付ナット６を調整しながら回すことにより、上記スラスト荷重を調整可能としている。
【００１１】
上記冠歯３ａ、４ａをギヤラッチ形状にしたことにより、ユーザが仮に操作パネル１上に手を置き、軽く力を加えたとしても操作パネルがある傾き角を保持することが出来る。
【００１２】
上記冠歯３ａを有する第１クリック部材３は操作パネル１を取り付け固定しており、上記シャフト９の周りを該第１クリック部材３が回転する事により、操作パネル１が回転する。
【００１３】
上記筐体部１０はシャフト９を取り付け固定しており、該シャフト９はその回転中心の円周方向に回動しないようになっている。
上記ワッシャー５は、上記第２クリック部材４と接していると共に、４枚の皿バネ８のうち、左端の皿バネとも接している。これによりワッシャー５が４枚の皿バネ８の大きなスラスト方向の押圧力を、ワッシャー５と接している第２クリック部材４へと伝搬せしめている。
【００１４】
上記ワッシャー２と第１クリック部材３に発生する摩擦によっても冠歯３ａ、４ａの回転トルクが抑制される事になる。また、ワッシャー２、５と各クリック部材３、４間の摩擦と、皿バネ８の大きなスラスト方向の力とによって、クリック部材２、４がシャフト９の周りを回動するのを防止している。
【図面の簡単な説明】
【００１５】
【図１】ＦＡＸ等ＯＡ機器の操作パネルおよび本発明の操作パネル用回転機構の外観図である。
【図２】本発明の操作パネル用回転機構の分解斜視図である。
【図３】冠歯の山頂点をＲ形状とした図面である。
【符号の説明】
【００１６】
１    操作パネル
２    ワッシャー
３    第１クリック部材
３ａ  冠歯
４    第２クリック部材
４ａ  冠歯
５    ワッシャー
６    締付ナット
７    小ワッシャー
８    皿バネ
９    シャフト
１０  筐体部
【図１】
2008109261.tif 000003
【図２】
2008109261.tif 000004
【図３】
2008109261.tif 000005